(57)【要約】【課題】安価かつ容易に、非同期ネットワークにおいても複数の同期伝送装置間での通信を可能とする。【解決手段】非同期信号を対向通信局ごとに蓄積するバッファ２１３、クロック信号に従って蓄積された非同期信号を読込むデータ読込部２１４を有し、読込まれた非同期信号を同期信号として送信する信号受信部２１と、蓄積量を監視するバッファ監視部２２５と、非同期信号に含まれる対向通信局の優先度と自局の優先度とを比較する優先番号比較処理部２２３と、比較結果に基づき自局の優先度を変更する従属先設定部２２２と、データ読込部２１４にクロック信号を出力し、比較結果に基づきクロックを変更するクロック制御部２２４と、自局の優先度および監視結果に基づくクロック変更量を含むデータを生成する送信レート制御要求部２２６と、受信した同期信号と生成されたデータとを合わせて、非同期信号として対向通信局へ送信する信号送信部２３とを備えた。【選択図】図１
2013223076.tif 000002
【特許請求の範囲】
【請求項１】
非同期ネットワークを介して通信を行う同期伝送装置において、
前記非同期ネットワークを介して受信した、対向通信局の優先度およびクロック変更量を示すデータを含む非同期信号を前記対向通信局ごとに蓄積するバッファ、および、入力されたクロック信号に従って前記バッファに蓄積された非同期信号を読込むデータ読込部を有し、前記読込まれた非同期信号を同期信号として同期ネットワークへ送信する信号受信部と、
前記バッファの蓄積量を監視するバッファ監視部と、
前記データ読込部により読込まれた非同期信号に含まれる対向通信局の優先度と、自局の優先度とを比較する優先度比較処理部と、
前記優先度比較処理部による比較結果に基づいて、前記自局の優先度を変更する優先度変更部と、
前記データ読込部に前記クロック信号を出力するとともに、前記優先度比較処理部による比較結果に基づいて前記クロック変更量に従ってクロックを変更するクロック制御部と、
前記自局の優先度、および、前記バッファ監視部による監視結果に基づくクロック変更量を含むデータを生成する送信レート制御要求部と、
前記同期ネットワークを介して受信した同期信号と前記送信レート制御要求部により生成されたデータとを合わせて、非同期信号として前記非同期ネットワークを介して対向通信局へ送信する信号送信部と
を備えたことを特徴とする同期伝送装置。
【請求項２】
前記送信レート制御要求部は、前記バッファ監視部により蓄積量の増加が検出された場合には、前記通信対向局に対してクロックを早めるよう前記クロック変更量を指定し、前記蓄積量の減少が検出された場合には、前記通信対向局に対してクロックを遅らせるよう前記クロック変更量を指定する
ことを特徴とする請求項１記載の同期伝送装置。
【請求項３】
前記優先度比較処理部は、前記バッファ監視部による監視結果に基づいて、前記自局の優先度を無効とし、
前記信号送信部は、前記優先度比較処理部により前記自局の優先度が無効とされた場合に、前記送信レート制御要求部により生成されたデータを付加せずに非同期信号を送信する
ことを特徴とする請求項１または請求項２記載の同期伝送装置。
【発明の詳細な説明】
【技術分野】
【０００１】
この発明は、イーサネットワーク（イーサネットは登録商標／以下、記載を省略する）などの非同期ネットワークを介した多重化装置などの同期伝送装置間における同期通信のための同期伝送装置に関するものであり、特に複数の同期伝送装置間における同時通信をするための同期伝送装置に関するものである。
【背景技術】
【０００２】
同期伝送装置とは、各装置間での通信時に同期する必要のある装置である。そして、データ送受信時の同期には、各装置にて送信時に精度の高い基準クロックを有するか、もしくは、同期ネットワークを介して自局より精度の高い基準クロックに同期することで、通信を実施する方法が一般的である。
【０００３】
だが近年、広域イーサネットなどの非同期ネットワークなど、専用回線と比較して割安なサービスが普及し、専用回線等の同期ネットワークの代わりとして非同期ネットワークを利用する方法が求められている。
【０００４】
そして、従来から、非同期ネットワークを介した同期伝送装置間の通信方法が複数提案されている。非同期ネットワークの通信では、同期通信ネットワークと異なり、クロック伝送は行われないため、別系統のクロック専用線を準備することでも解決可能ではあるが、逆にコストが高くなるという課題がある。これに対して、バッファを用いることで同期のための専用線を用いることなく同期する方法が知られている（例えば特許文献１参照）。
【０００５】
この特許文献１に開示されたクロック同期制御方法では、非同期ネットワークから受信したデータを受信バッファにて一時保存し、バッファのデータからの読込をオーバーフローおよびアンダーフローならびに蓄積量が一定となるように、同期伝送装置のクロックを調整することにより、非同期ネットワークにおける同期通信を実現している。
【先行技術文献】
【特許文献】
【０００６】
【特許文献１】特開２００７−２３５２１７号公報
【発明の概要】
【発明が解決しようとする課題】
【０００７】
従来の非同期ネットワークを介した同期伝送装置間の通信方法では、以上のように構成されているので、例えば複数の通信対向局が存在し、通信対向局のクロックが自局と比較して一方が早く、もう一方が遅い場合、従来ではどちらか一方のクロックへ同期せざるを得ない。よって、もう一方のバッファにオーバーフローまたはアンダーフローが生じることで、通信が遮断され、複数の局と同時に通信できないという課題がある。
それに対し、非同期ネットワーク内に存在する通信対向局と同数のクロックを用意することで、各バッファの読出しクロックを可変とし、従来技術を用いて通信することは可能である。しかしながら、この場合には、装置が複雑化することで制御が困難となり、コストが高くなるという課題がある。
【０００８】
この発明は、上記のような課題を解決するためになされたもので、安価に、かつ、容易に、非同期ネットワークにおいても複数の同期伝送装置間での通信が可能な同期伝送装置を提供することを目的としている。
【課題を解決するための手段】
【０００９】
この発明に係る同期伝送装置は、非同期ネットワークを介して受信した、対向通信局の優先度およびクロック変更量を示すデータを含む非同期信号を対向通信局ごとに蓄積するバッファ、および、入力されたクロック信号に従ってバッファに蓄積された非同期信号を読込むデータ読込部を有し、読込まれた非同期信号を同期信号として同期ネットワークへ送信する信号受信部と、バッファの蓄積量を監視するバッファ監視部と、データ読込部により読込まれた非同期信号に含まれる対向通信局の優先度と、自局の優先度とを比較する優先度比較処理部と、優先度比較処理部による比較結果に基づいて、自局の優先度を変更する優先度変更部と、データ読込部にクロック信号を出力するとともに、優先度比較処理部による比較結果に基づいてクロック変更量に従ってクロックを変更するクロック制御部と、自局の優先度、および、バッファ監視部による監視結果に基づくクロック変更量を含むデータを生成する送信レート制御要求部と、同期ネットワークを介して受信した同期信号と送信レート制御要求部により生成されたデータとを合わせて、非同期信号として非同期ネットワークを介して対向通信局へ送信する信号送信部とを備えたものである。
【発明の効果】
【００１０】
この発明によれば、上記のように構成したので、安価に、かつ、容易に、非同期ネットワークにおいても複数の同期伝送装置間での通信が可能という効果がある。
【図面の簡単な説明】
【００１１】
【図１】この発明の実施の形態１に係る同期伝送装置が適用されたシステムの構成例を示す図である。
【図２】この発明の実施の形態１に係る同期伝送装置の構成を示す図である。
【図３】この発明の実施の形態１におけるクロック制御要求データの情報構成を示す図である。
【図４】この発明の実施の形態１に係る同期伝送装置の動作を示すフローチャートである。
【図５】この発明の実施の形態２に係る同期伝送装置の構成を示す図である。
【発明を実施するための形態】
【００１２】
以下、この発明の実施の形態について図面を参照しながら詳細に説明する。
実施の形態１．
図１はこの発明の実施の形態１に係る同期伝送装置２が適用されたシステムの構成例を示す図である。
このシステムでは、図１に示すように、外部通信機器１と同期伝送装置２とが同期ネットワーク３を介して接続され、同期伝送装置２間が非同期ネットワーク４を介して接続されている。そして、同期伝送装置２では、非同期ネットワーク４を介して対向通信局（同期通信を行う同期伝送装置２）との間で非同期信号の送受信を行い、これを同期信号に変換して、同期ネットワーク３を介して外部通信機器１との間で同期信号の送受信を行っている。
【００１３】
次に、同期伝送装置２の構成について、図２を参照しながら説明する。
同期伝送装置２は、図２に示すように、信号受信部２１、クロック調整部２２および信号送信部２３から構成されている。
【００１４】
信号受信部２１は、非同期ネットワーク４を介して通信対向局から非同期信号を受信して同期信号に変換し、同期ネットワーク３を介して外部通信機器１へ送信するものである。この信号受信部２１は、データ受信部２１１、受信パケット処理部２１２、複数のバッファ２１３、データ読込部２１４および同期信号送信部２１５から構成されている。
【００１５】
データ受信部２１１は、非同期ネットワーク４を介して通信対向局から非同期信号を受信するものである。この非同期信号には、図３に示すクロック制御要求データ５０が含まれている。このデータ受信部２１１により受信された非同期信号は受信パケット処理部２１２へ出力される。
【００１６】
受信パケット処理部２１２は、データ受信部２１１からの非同期信号のヘッダ情報に基づいて、通信対向局ごとに用意されたバッファ２１３にヘッダ情報を除去したデータを蓄積させるものである。
【００１７】
複数のバッファ２１３は、受信パケット処理部２１２からのデータを送信元の通信対向局ごとに順次蓄積するものである。
【００１８】
データ読込部２１４は、クロック調整部２２（クロック制御部２２４）からのクロック信号に従って、各バッファ２１３に蓄積された通信対向局ごとのデータを順に読込むものである。このデータ読込部２１４により読込まれたデータは同期信号送信部２１５およびクロック調整部２２（優先番号比較処理部２２３）へ出力される。
【００１９】
同期信号送信部２１５は、データ読込部２１４からのデータを同期信号として同期ネットワーク３を介して外部通信機器１へ出力するものである。
【００２０】
次に、クロック調整部２２は、非同期ネットワーク４を介して通信対向局から受信した非同期信号を同期させるためのクロックを調整するものである。このクロック調整部２２は、自局優先番号設定部２２１、従属先設定部（優先度変更部）２２２、優先番号比較処理部（優先度比較処理部）２２３、クロック制御部２２４、バッファ監視部２２５および送信レート制御要求部２２６から構成されている。
【００２１】
自局優先番号設定部２２１は、自局に設定された優先番号（優先度）を示す情報（優先番号情報）を保持するものである。ここで、自局の優先番号は、例えばネットワークを構成する上での重要度を考慮するなどして予め同期伝送装置２毎に設定し、ネットワーク内で重複することはないものとする。
【００２２】
従属先設定部２２２は、自局に設定されたクロックの従属先の優先番号（優先度）を示す情報（従属先優先番号情報）を保持するものである。ここで、従属先の優先番号は、優先番号比較処理部２２３による比較結果に基づいて設定（変更）し、通信対向局からのクロック制御に従属していない間は、空とするかもしくは自局優先番号設定部２２１の値を設定する。
【００２３】
優先番号比較処理部２２３は、データ読込部２１４からのクロック制御要求データ５０に含まれる発信元優先番号情報５０１および従属先優先番号情報５０２と、自局優先番号設定部２２１の優先番号情報および従属先設定部２２２の従属先優先番号情報とを用いて、対向通信局の優先度と自局の優先度とを比較するものである。この優先番号比較処理部２２３による比較結果は従属先設定部２２２、クロック制御部２２４および送信レート制御要求部２２６へ出力される。
【００２４】
クロック制御部２２４は、保持するクロックに基づいてデータ読込部２１４および同期信号受信部２３１に対してクロック信号を生成・出力するとともに、優先番号比較処理部２２３による比較結果に基づいてクロック制御要求データ５０に含まれるクロック変更量指定情報５０３に従ってクロックを変更するものである。
【００２５】
バッファ監視部２２５は、バッファ２１３のデータ蓄積量を監視するものである。このバッファ監視部２２５による監視結果（蓄積量の増減を示す情報（増減情報）および発信元優先番号情報５０１）は送信レート制御要求部２２６へ出力される。
【００２６】
送信レート制御要求部２２６は、優先番号比較処理部２２３による比較結果と、バッファ監視部２２５による監視結果とに応じて、図３に示すクロック制御要求データ５０を生成するものである。ここで、クロック制御要求データ５０は、優先番号比較処理部２２３からの自局優先番号設定部２２１の値（優先番号）を示した発信元優先番号情報５０１と、従属先設定部２２２の値（従属先優先番号）に自局の優先番号を加えてツリー状に形成し、従属の階層およびルートが分かるように設定した従属先優先番号情報５０２と、送信レート制御要求部２２６にてバッファ監視部２２５からの増減情報を用いて計算したクロック変更量を示すクロック変更量指定情報５０３とからなる。この送信レート制御要求部２２６により生成されたクロック制御要求データ５０はデータ送信部２３３へ出力される。
【００２７】
次に、信号送信部２３は、同期ネットワーク３を介して外部通信機器１からの同期信号を受信して非同期信号に変換し、非同期ネットワーク４を介して通信対向局へ出力するものである。この信号送信部２３は、同期信号受信部２３１、送信パケット処理部２３２およびデータ送信部２３３から構成されている。
【００２８】
同期信号受信部２３１は、同期ネットワーク３を介して外部通信機器１からの同期信号を受信するものである。そして、同期信号受信部２３１は、クロック制御部２２４からのクロック信号に従って、当該同期信号を送信パケット処理部２３２へ出力する。
【００２９】
送信パケット処理部２３２は、同期信号受信部２３１からの同期信号を非同期信号に変換するものである。この送信パケット処理部２３２により変換された非同期信号はデータ送信部２３３へ出力される。
【００３０】
データ送信部２３３は、送信パケット処理部２３２からの非同期信号と送信レート制御要求部２２６からのクロック変更要求データ５０とを組み合わせて非同期信号として、非同期ネットワーク４を介して通信対向局へと送信するものである。
【００３１】
次に、上記のように構成された同期伝送装置２の動作について、図４を参照しながら説明する。
同期伝送装置２の動作では、図４に示すように、まず、データ受信部２１１は、非同期ネットワーク４を介して通信対向局から非同期信号を受信し、受信パケット処理部２１２へ出力する（ステップＳＴ１）。
【００３２】
そして、バッファ２１３は、受信パケット処理部２１２にて非同期信号からヘッダ情報が除去されたデータを受け取り、当該データを送信元の通信対向局ごとに順次蓄積する（ステップＳＴ２）。ここで、バッファ２１３は、予めネットワーク内に存在する同期伝送装置数確保するか、または、入力信号のヘッダ情報にて新規通信対向局からの信号であることを認識した際に新規に確保することにより、各同期伝送装置２に対応したバッファを用意する。
【００３３】
そして、データ読込部２１４は、クロック制御部２２４からのクロック信号に従って、各バッファ２１３に蓄積されたデータを読込み、同期信号送信部２１５および同期ネットワーク３を介して外部通信機器１へ出力する（ステップＳＴ３）。また、当該データは優先番号比較処理部２２３へも出力される。
【００３４】
次いで、優先番号比較処理部２２３は、データ読込部２１４からのクロック制御要求データ５０に含まれる発信元優先番号情報５０１および従属先優先番号情報５０２と、自局優先番号設定部２２１の優先番号情報および従属先設定部２２２の従属先優先番号情報とを用いて、対向通信局の優先度と自局の優先度とを比較する（ステップＳＴ４）。
【００３５】
ここで、従属先優先番号情報５０２の値がない、または、従属先優先番号情報５０２の値と発信元優先番号情報５０１の値とが等しい場合には、通信対向局の優先度は発信元優先番号情報５０１の値となる。対して、従属先優先番号情報５０２の値があり、かつ、発信元優先番号情報５０１の値と異なる場合には、通信対向局の優先度は従属先優先番号情報５０２の値となる。
同様に、従属先設定部２２２の値がない、または、従属先設定部２２２の値と自局優先番号設定部２２１の値とが等しい場合には、自局の優先度は自局優先番号設定部２２１の値となる。対して、従属先設定部２２２の値があり、かつ、自局優先番号設定部２２１の値と異なる場合には、自局の優先度は従属先設定部２２２の値となる。
そして、優先番号比較処理部２２３にて、通信対向局の優先度と自局の優先度とを比較する際には、以下の手順で実施する。
【００３６】
まず、自局と通信対向局が共に従属しておらず、優先度がそれぞれ、自局優先番号設定部２２１の値、発信元優先番号情報５０１の値である場合には、それぞれの値を優先番号比較処理部２２３にて比較する。
そして、優先番号比較処理部２２３は、自局の優先度の方が低い場合には、クロック制御要求データ５０に含まれるクロック変更量指定情報５０３によりクロック制御部２２４のクロックを変更させ、かつ、従属先設定部２２２の値を、発信元優先番号情報５０１の値の下層に自局優先番号設定部２２１の値を付加した値に設定させる。対して、自局の優先度の方が高い場合には、クロック制御部２２４のクロックおよび従属先設定部２２２の値は変更しない。そして、優先番号比較処理部２２３は、比較処理後、自局優先番号設定部２２１の値および従属先設定部２２２の値を送信レート制御要求部２２６へ出力する。
【００３７】
次に、自局と通信対向局のどちらか一方または両方が従属している場合の比較方法を説明する。
ここで、従属先設定部２２２の値、従属先優先番号情報５０２の値が両方存在する場合には、それぞれの従属先の大元となる同期伝送装置２の優先番号同士を比較する。また、どちらか一方のみに値が存在する場合には、自局が従属しているのであれば従属先設定部２２２に設定されたツリーの大元となる同期伝送装置２の優先度とデータ読込部２１４からの発信元優先番号情報５０１とを比較する。また、通信対向局が従属しているのであれば、発信元優先番号情報５０１と従属先設定部２２２の大元となる同期伝送装置２の優先度とを比較する。
【００３８】
そして、優先番号比較処理部２２３は、自局の優先度の方が低く、通信対向局が従属している場合には、従属先設定部２２２の値を、従属先優先番号情報５０２のツリーの下に自局優先番号設定部２２１の値を加えた値に設定させる。対して、自局の優先度の方が高く、通信対向局が従属している場合は、従属先設定部２２２の値は変更しない。また、自局の優先度の方が低く、通信対向局が従属先を持たない場合には、従属先設定部２２２の値を発信元優先番号情報５０１の値の下に自局優先番号設定部２２１の値をツリーの最下層に加えた値に設定させる。また、自局の優先度の方が高く、通信対向局が従属先を持たない場合は、従属先設定部２２２の値は変更しない。そして、優先番号比較処理部２２３は、比較処理後、自局優先番号設定部２２１の値および従属先設定部２２２の値を送信レート制御要求部２２６へ出力する。
【００３９】
次に、自局および通信対向局において共に従属先の大元が同一である場合には、それぞれの従属先のツリーの階層数を比較する。ただし、ツリーの階層数を比較する際は、自局の従属先設定部２２２の値の最下層が自局優先番号設定部２２１の値と等しい場合には、階層数に自局は含めないものとする。
そして、優先番号比較処理部２２３は、自局の階層数の方が少ない場合には、自局の優先度が高いとみなし、クロック制御部２２４のクロックは変更しない。対して、自局の階層数の方が多い場合には、通信対向局の優先度が高いとみなし、クロック変更量指定情報５０３によりクロック制御部２２４のクロックを変更させ、かつ、従属先設定部２２２の値を、従属先優先番号情報５０２の値に自局優先番号設定部２２１の値を付加した値に設定させる。そして、優先番号比較処理部２２３は、比較処理後、自局優先番号設定部２２１の値および従属先設定部２２２の値を送信レート制御要求部２２６へ出力する。
【００４０】
次に、自局と通信対向局が共に、大元の従属先が同一であり、かつ、従属先のツリーの階層数が等しい場合には、自局の自局優先番号設定部２２１の値と通信対向局の発信元優先番号情報５０１の値とを比較する。
そして、優先番号比較処理部２２３は、自局の優先度の方が高い場合には、クロック制御部２２４のクロック信号は変更しない。対して、自局の優先度の方が低い場合には、クロック変更量指定情報５０３によりクロック制御部２２４のクロックを変更させ、かつ、従属先設定部２２２の値を、従属先優先番号情報５０２の値に自局優先番号設定部２２１の値を付加した値に設定させる。そして、優先番号比較処理部２２３は、比較処理後、自局優先番号設定部２２１の値および従属先設定部２２２の値を送信レート制御要求部２２６へ出力する。
【００４１】
同期伝送装置２の動作説明に戻り、次いで、バッファ監視部２２５は、バッファ２１３のデータ蓄積量を監視し、蓄積量の増減情報と発信元優先番号情報５０１とを組にして、順次送信レート制御要求部２２６へ出力する（ステップＳＴ５）。
【００４２】
送信レート制御要求部２２６は、優先番号比較処理部２２３による比較結果と、バッファ監視部２２５による監視結果とに応じて、図３に示すクロック制御要求データ５０を生成し、データ送信部２３３へ出力する（ステップＳＴ６）。この際、送信レート制御要求部２２６は、優先番号比較処理部２２３およびバッファ監視部２２５からの情報が、同じ通信対向局からのものであることを確認する。そして、優先番号比較処理部２２３からの自局優先番号設定部２２１の値および従属先設定部２２２の値をそれぞれ発信元優先番号情報５０１の値および従属先優先番号情報５０２の値として設定する。また、バッファ監視部２２５からの増減情報を基に、オーバーフローまたはアンダーフローが発生する可能性、または、バッファ中央値からの変化傾向等、クロックの調整が必要であることを判断した場合、以下のようにクロック変更量指定情報５０３を設定する。
【００４３】
すなわち、バッファ２１３の蓄積データがオーバーフローまたは設定した閾値より多くなる可能性がある場合には、通信対向局のクロックを早めるようクロック変更量を指定する。対して、バッファ２１３がアンダーフローまたは設定した閾値より少なくなる可能性がある場合には、通信対向局のクロックを遅らせるようクロック変更量を指定する。クロックの変更量は、例えばバッファ監視部２２５からの増減情報の変化量から中央値に収束するように求めたＰＩＤ制御の利用や変化量にマイナスをかけた値や、バッファの蓄積量が閾値の範囲内に収まるように常に調整するなどの方法がある。
【００４４】
次いで、同期信号受信部２３１は、同期ネットワーク３を介して外部通信機器１からの同期信号を受信し、クロック制御部２２４からのクロック信号に従って送信パケット処理部２３２へと出力する（ステップＳＴ７）。
次いで、データ送信部２３３は、送信レート制御要求部２２６からのクロック制御要求データ５０と送信パケット処理部２３２により変換された非同期信号とを入力し、それぞれを組み合わせて非同期信号として、非同期ネットワーク４を介して通信対向局へ送信する（ステップＳＴ８）。
【００４５】
以上のように、この実施の形態１によれば、通信対向局と同数のバッファ２１３を用意し、各同期伝送装置２に優先度を予め付与して、当該優先度に基づいてクロックを調整するように構成したので、安価に、かつ、容易に、非同期ネットワーク４を介して複数の同期伝送装置２間での通信を可能とする。
例えば、３台の同期伝送装置Ａ，Ｂ，Ｃ間で互いに通信を実施しており、Ａ＞Ｂ＞Ｃの順でクロックが早く、優先度がＡ＞Ｂ＞Ｃである場合を想定する。この場合、初め、ＢはＡに従属してクロックを調整し、ＣはＢに従属してクロックを調整する。そして、ＢがＡに従属することから、Ｂの従属先設定部２２２の値がＡの値となり、ＣもＡに追従するものとなる。すなわち、本方式を用いることで、優先度の低い同期伝送装置２であっても、最終的には通信対向局内で最も優先度の高い同期伝送装置２のクロックに合わせるように動作するため、優先度の高い低いに関係なく各同期伝送装置２間で通信を可能とする。
【００４６】
また、本方式では、従来のように同期伝送装置に通信対向局と同数のクロックを予め用意して同期をとる方法と比較して、コストが安くなり、また新規通信対向局を用意する際には、バッファ２１３を用意するだけで対応が可能であることからスケーラビリティが高いという利点がある。
【００４７】
なお、同期中または同期済みのネットワークにて同期伝送装置２を該ネットワークから外した場合は、該同期伝送装置２に従属同期している同期伝送装置２は従属から外れ、その他の優先度の高い同期伝送装置２の優先度に基づいて従属先設定部２２２の値を変更し、同期を調整する。このとき、ネットワークから外した同期伝送装置２に対応するバッファ２１３は、再度該同期伝送装置２をネットワークに組み込む可能性等を考慮し、削除しても残したままでも実施は可能である。
【００４８】
実施の形態２．
実施の形態１では、優先番号比較処理部２２３にて、データ読込部２１４からのクロック制御要求データ５０と自局優先番号設定部２２１の値および従属先設定部２２２の値とを用いて、通信対向局の優先度と自局の優先度とを比較し、その比較結果を送信レート制御要求部２２６へ出力する場合について示した。対して、バッファ監視部２２５からバッファ蓄積量の増減情報または総蓄積量情報を優先番号比較処理部２２３へ出力し、優先番号比較処理部２２３にて、この情報を考慮するようにしてもよい。
図５はこの発明の実施の形態２に係る同期伝送装置２の構成を示す図である。図５に示す実施の形態２に係る同期伝送装置２は、図１に示す実施の形態１に係る同期伝送装置２に、バッファ監視部２２５から優先番号比較処理部２２３へ接続する接続線を追加したものである。その他の構成は同様であり、同一の符号を付してその説明を省略する。
【００４９】
バッファ監視部２２５は、実施の形態１における機能に加えて、自身の監視結果（蓄積量の増減情報または総蓄積量情報と発信元優先番号情報５０１）を優先番号比較処理部２２３へ出力する機能も有している。
優先番号比較処理部２２３は、バッファ監視部２２５からの監視結果を考慮して、比較処理を行う。すなわち、優先番号比較処理部２２３は、バッファ２１３の蓄積量に応じて次のような動作を行う。
【００５０】
まず、バッファ２１３の総蓄積量が所定の閾値より少ない場合、優先番号比較処理部２２３は、各入力に従い比較処理を実施するが、自局優先番号設定部２２１の値を有効とせずに通信対向局からの要求に優先的に従い、従属先設定部２２２の値を通信対向局のうちの最も優先度の高い同期伝送装置２に従属するよう設定させる。そして、送信レート制御要求部２２６は、生成したクロック制御要求データ５０（発信元優先番号情報５０１、従属先優先番号情報５０２およびクロック変更量指定情報５０３）を無効な値としてデータ送信部２３３へ出力する。データ送信部２３３では、クロック制御要求データ５０が無効なデータであると判断し、送信パケット処理部２３２により変換された非同期信号に当該クロック制御要求データ５０を付加せずに対向通信局へ送信する。
対して、バッファ２１３の総蓄積量が閾値より多い場合には、優先番号比較処理部２２３は、実施の形態１と同様に動作する。
【００５１】
なお、本動作は同期の取れたネットワークに新規優先度の高い同期伝送装置２を追加する場合を想定しているため、新規の同期伝送装置２がネットワークのクロックに従属するまでの時間を考慮して閾値を設定することが望ましい。
【００５２】
以上のように、この実施の形態２によれば、優先番号比較処理部２２３は、バッファ監視部２２５による監視結果も考慮して、優先度の比較を行うように構成したので、実施の形態１と比較して、ネットワークに設置された新規同期伝送装置２の効率的な同期が可能となる。
例えば実施の形態１において、ネットワーク内に接続されている同期伝送装置２間の同期が確立した後に、増設や障害復旧時などにて新たに優先度の高い同期伝送装置２が接続されたとする。この場合、ネットワーク内の既存の同期伝送装置２が、新規同期伝送装置２のクロックに合わせようとするため、既存の同期伝送装置２への負荷がかかる。対して、実施の形態２では、バッファ２１３の蓄積量が安定するまでは、自局の優先度を下げることになり、新規同期伝送装置２にてクロック調整が行われるため、既存の同期伝送装置２には調整が必要ない。
【００５３】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００５４】
１  外部通信機器、２  同期伝送装置、３  同期ネットワーク、４  非同期ネットワーク、２１  信号受信部、２２  クロック調整部、２３  信号送信部、５０  クロック制御要求データ、２１１  データ受信部、２１２  受信パケット処理部、２１３  バッファ、２１４  データ読込部、２１５  同期信号送信部、２２１  自局優先番号設定部、２２２  従属先設定部（優先度変更部）、２２３  優先番号比較処理部（優先度比較処理部）、２２４  クロック制御部、２２５  バッファ監視部、２２６  送信レート制御要求部、２３１  同期信号受信部、２３２  送信パケット処理部、２３３  データ送信部、５０１  発信元優先番号情報、５０２  従属先優先番号情報、５０３  クロック変更量指定情報。
【図１】
2013223076.tif 000003
【図２】
2013223076.tif 000004
【図３】
2013223076.tif 000005
【図４】
2013223076.tif 000006
【図５】
2013223076.tif 000007